(57)【特許請求の範囲】
【請求項１】
ケース（１）内に、内刃を駆動するモーター（１０）を内蔵している電気かみそりにおいて、
モーター（１０）のボス（１０Ａ）を嵌入して支持する支持壁（１１）が、プラスチック製のケース（１）の内面に突出して一体成形されると共に、この支持壁（１１）の上部とモーター（１０）との間に、モーター（１０）のリード線（２６）を挟着して保持する挟着隙間（２７）が設けられており、この挟着隙間（２７）に、モーター（１０）に接続されているリード線（２６）が挟着して保持されると共に、挟着隙間（２７）に挿入されるリード線（２６）が、モーター（１０）と支持壁（１１）の隙間を少なくしていることを特徴とする電気かみそり。
【請求項２】
挟着隙間（２７）が下方に向かって次第に狭くなっている請求項１に記載される電気かみそり。
【請求項３】
支持壁（１１）が、モーターケースの背面に沿う板状に成形された本体リブ（１１Ａ）と、この本体リブ（１１Ａ）に対して直交する方向の板状に成形された補強リブ（１１Ｂ）とからなり、補強リブ（１１Ｂ）が本体リブ（１１Ａ）から突出してモーターケースとの間に挟着隙間（２７）を設けている請求項１に記載される電気かみそり。
【請求項４】
支持壁（１１）の近傍に、往復運動されるスイッチツマミ（３）が配設されており、モーター（１０）のリード線（２６）が、往復運動するスイッチツマミ（３）に接触しないように、支持壁（１１）の挟着隙間（２７）に保持されてなる請求項１に記載される電気かみそり。
【発明の詳細な説明】
【０００１】
【発明の属する技術分野】
本発明は電気かみそりに関し、とくに、内刃を駆動するモーターを内蔵している電気かみそりに関する。
【０００２】
【従来の技術】
電気かみそりは、内刃を往復運動させるモーターを内蔵している。モーターの回転は、モーターの回転軸に固定される偏心カムで往復運動に変換される。偏心カムは、コンロッドを介して、内刃台に連結される。モーターをケース内の定位置に配設するために、プラスチック製のケースは、モーターのボスを嵌入して保持する支持壁を一体成形している。
【０００３】
図１に示す電気かみそりのケース１は、モーター１０の両端部に突出しているボス１０Ａを保持する支持壁１１を一体成形している。支持壁１１は、モーター１０のボス１０Ａを嵌入して定位置に保持するために、上端に、ボス１０Ａを嵌入できる形状のＵ溝１３を設けている。この構造のケース１は、ふたつの支持壁１１で、モーター１０を定位置に保持できる。さらに、支持壁１１のＵ溝１３に嵌入されたモーター１０は、たとえば、図示しないが、この図に示すケースの開口部を閉塞する別ケースの内面に接着されたクッション材で押圧して、定位置に保持できる。
【０００４】
【発明が解決しようとする課題】
ケース１内の定位置に配設されるモーター１０は、リード線２６で、プリント基板７、スイッチ、あるいは二次電池１２等に接続される。リード線２６が、モーター１０とプリント基板７等に接続された後、いいかえると、モーター１０とプリント基板７とをリード線２６で接続した状態で、モーター１０とプリント基板７はケース１の定位置に装着される。モーター１０とプリント基板７とを定位置に配設した後に、リード線２６を接続するのではない。リード線２６の接続を簡単にするためである。リード線２６で互いに連結された、モーター１０やプリント基板７等は、ケース１に装着しやすくするために、多少余裕のある長いリード線２６で接続してケース１に装着される。長いリード線２６は、モーター１０とプリント基板７等をケース１に装着した後は、邪魔にならないように、適当な位置に固定する必要がある。とくに、リード線２６を配線する近傍に、往復運動するスイッチツマミ等がある場合、このスイッチツマミにリード線２６が接触すると故障の原因となるので、リード線２６を定位置に保持する必要がある。リード線２６がスイッチツマミに引っかかって断線され、あるいは、リード線２６がスイッチツマミの往復運動を阻害して、スイッチツマミをスムーズに往復運動できなくなることがあるからである。
【０００５】
リード線を定位置に配設するために、たとえば、プリント基板の適当な位置にリード線が結束される。しかしながら、この構造は、モーターやプリント基板を定位置に配設した後、リード線を結束する必要があるので、リード線の固定に手間がかかる。とくに、電気かみそりは、非常に狭い内部に多数の部品がほとんど隙間なく配設されるので、リード線の結束に非常に手間がかかる欠点がある。
【０００６】
本発明の第１の目的は、この欠点を解消すること、すなわち、モーターに接続されるリード線を、簡単かつ容易に、しかも確実に定位置に保持できる電気かみそりを提供することにある。
【０００７】
さらに、ケースに内蔵されるモーターは、回転して内刃を往復運動させるので、モーターを確実に保持できないと、振動して騒音を発生する。モーターが回転したときの騒音や微振動は、電気かみそりの品質を著しく低下させる。このため、モーターを確実に保持することが極めて大切である。モーターを微振動しないように保持するためには、モーターケースと支持壁を、極めて高い精度で成形する必要がある。極めて狭い空隙があっても、モーターが微振動するからである。モーターケースと支持壁の成形精度を高くすると、部品コストが高くなって、製造コストが高くなる欠点がある。
【０００８】
本発明の第２の目的は、この欠点を解消すること、すなわち、支持壁とモーターとの間に多少の隙間があっても、モーターを微振動しない状態で保持して、回転するモーターから発生する騒音を低減できる電気かみそりを提供するにある。
【０００９】
【課題を解決するための手段】
本発明の電気かみそりは、前述の目的を達成するために下記の構成を備える。電気かみそりは、ケース１内に、内刃を駆動するためのモーター１０を内蔵している。プラスチック製のケース１は、モーター１０のボス１０Ａを嵌入して支持する支持壁１１を、内面に突出させて一体成形している。支持壁１１の上部とモーター１０との間には、モーター１０のリード線２６を挟着して保持する挟着隙間２７を設けている。挟着隙間２７には、モーター１０に接続されているリード線２６が挟着して保持され、挟着隙間２７に挿入されるリード線２６は、モーター１０と支持壁１１の隙間を少なくして保持される。
【００１０】
さらに、本発明の請求項２に記載する電気かみそりは、リード線２６をより確実に保持すると共に、モーター１０の騒音をより低減するために、挟着隙間２７を、下方に向かって次第に狭くしている。次第に狭くなる挟着隙間２７は、リード線２６を圧入して確実に保持する。さらに、支持壁１１は、モーター１０との間に隙間ができないように保持する。
【００１１】
さらにまた、本発明の請求項３の電気かみそりは、支持壁１１を、モーターケースの背面に沿う板状に成形してなる本体リブ１１Ａと、この本体リブ１１Ａに対して直交する方向の板状に成形してなる補強リブ１１Ｂとで構成する。補強リブ１１Ｂは、本体リブ１１Ａから突出しており、この突出部が、モーターケースとの間に挟着隙間２７を設けている。補強リブ１１Ｂは、支持壁１１の変形を防止すると共に、モーターケースとの間で、リード線２６を確実に保持する挟着隙間２７を形成する。
【００１２】
さらに、本発明の請求項４の電気かみそりは、支持壁１１の近傍に、往復運動されるスイッチツマミ３を配設している。モーター１０のリード線２６は、往復運動するスイッチツマミ３に接触しないように、支持壁１１の挟着隙間２７に保持されている。
【００１３】
【発明の実施の形態】
以下、本発明の実施例を図面に基づいて説明する。ただし、以下に示す実施例は、本発明の技術思想を具体化するための電気かみそりを例示するものであって、本発明は電気かみそりを下記のものに特定しない。
【００１４】
さらに、この明細書は、特許請求の範囲を理解し易いように、実施例に示される部材に対応する番号を、「特許請求の範囲の欄」、および「課題を解決するための手段の欄」に示される部材に付記している。ただ、特許請求の範囲に示される部材を、実施例の部材に特定するものでは決してない。
【００１５】
図２に示す電気かみそりは、ケース１の上端に外刃９を固定している。この電気かみそりは、外刃の内面に摺動しながら往復運動する内刃（図示せず）を配設している。内刃は、分解した斜視図である図３に示される内刃台３０に連結される。内刃台３０は、回転運動を往復運動に変換する、偏心カム２８とコンロッド２９を介してモーター１０に連結される。偏心カム２８はモーター１０の回転軸に固定される。この偏心カム２８の偏心軸と内刃台３０とにコンロッド２９の両端が連結される。モーター１０が回転されると、コンロッド２９が往復運動して内刃台３０を振動させる。
【００１６】
モーター１０を定位置に保持して固定するために、プラスチック製のケース１は、図３の斜視図に示すように、内面に突出して、支持壁１１を一体成形している。支持壁１１は、モーター１０のボス１０Ａを嵌入して、モーター１０を定位置に保持するために、上端にモーター１０のボス１０Ａを嵌入するＵ溝１３を設けている。
【００１７】
モーター１０は、両端のボス１０Ａを支持壁１１のＵ溝１３に嵌入して定位置に保持される。モーター１０の回転軸側を支持する支持壁１１は、ケース１に横方向に延長して成形させており、モーター１０のボス１０Ａに沿うＵ溝１３を設けている。モーター１０の後端を支持する支持壁１１は、図４に示すように、モーターケースの背面に沿う板状に成形された本体リブ１１Ａと、この本体リブ１１Ａに対して直交する方向の板状に成形された補強リブ１１Ｂとからなっている。
【００１８】
本体リブ１１Ａは、図３の斜視図に示すように、モーター１０のボス１０Ａに沿うＵ溝１３を上端に設けている。補強リブ１１Ｂは、Ｕ溝１３の両側に配設されている。図において左に位置する補強リブ１１Ｂは、図４の拡大斜視図と図５に示すように、本体リブ１１Ａからさらに上方に突出して、モーターケースとの間に挟着隙間２７を形成している。挟着隙間２７を設ける補強リブ１１Ｂは、ほぼモーター１０の上面まで延長される高さを有する。
【００１９】
図４に示す支持壁１１は、補強リブ１１Ｂで形成される挟着隙間２７を、モーターの後端に設けられている左側の接続端子１０Ｂよりも上方に配設している。この構造は、図において右側の接続端子１０Ｂに接続されるリード線２６を挟着隙間２７に保持して、このリード線２６が左の接続端子１０Ｂにショートするのを阻止できる。挟着隙間２７に保持されるリード線２６が、左の接続端子１０Ｂから離されるからである。さらに、挟着隙間２７は、図５に示すように、下方に向かって次第に狭くなっている。この形状の挟着隙間２７は、リード線２６を圧入して、支持壁１１とモーター１０の間に隙間ができないようにできる。また、多少は太さが異なるリード線２６を、挟着隙間２７に隙間なく圧入できる特長もある。モーター１０の後端に接続される２本のリード線２６は、図６の平面図に示すように、挟着隙間２７に挟んで中間が保持され、先端をプリント基板７に接続している。
【００２０】
モーター１０は、ボス１０Ａを支持壁１１のＵ溝１３に嵌入して、定位置に配設される。図５に示すように、ふたつの支持壁１１の間隔は、モーターケースの全長にほぼ等しく、ここにモーター１０を入れて、定位置に固定される。支持壁１１に嵌入されたモーター１０は、上ケース１の内面に接着されるクッション材３１に弾性的に押圧されて、ケース１内の定位置に配設される。
【００２１】
図３に示す電気かみそりは、モーター１０を支持する支持壁１１の近傍に、使用する電圧を切り換えるスイッチツマミ３を配設している。スイッチツマミ３は、図７の分解斜視図に示すように、プリント基板７の下面を摺動する摺動接点５を有する。摺動接点５は、プリント基板７の下面に固定される固定接点を摺動して、使用する商用電源の電圧を切り換える。このスイッチツマミ３をケース１に設けた節度凹凸１４とガイド壁１５とで、節度出しが行われるように、ケース１に往復運動できるように連結される。
【００２２】
さらに、プリント基板７には、スイッチツマミ３を垂直の姿勢で往復運動させるように、スイッチツマミ３を往復運動させる方向にスリット１６を設けている。スリット１６は、スイッチツマミ３に一体成形しているガイド凸部１７を摺動させる。したがって、スリット１６の幅はガイド凸部１７の外幅よりも大きいがその外幅にほぼ等しく、その長さは、スイッチツマミ３を往復運動させるときに、ガイド凸部１７が移動できる距離に設計される。スリット１６とガイド凸部１７は、スイッチツマミ３を、プリント基板７に対して正確な位置で往復運動させる。
【００２３】
スイッチツマミ３は、節度出しをする節度ループ１８と、プリント基板７の固定接点６に接触する摺動接点５と、プリント基板７のスリット１６内を摺動するガイド凸部１７とを備える。スイッチツマミ３は、全体をプラスチックで板状に成形し、図６において下端に、節度ループ１８とガイド凸部１７を一体成形し、上端をケース１の外部に表出させる。スイッチツマミ３がケース１に内蔵された状態を図８に示している。この図に示すスイッチツマミ３は、上端をケース１の外部に表出して、下端に弾性変形する節度ループ１８を設けている。スイッチツマミ３の上端は、スリップしないように、二つの突起１９を一体成形している。
【００２４】
板状に成形されたスイッチツマミ３は、図７に示すように、下部の片面を薄く成形して凹部３Ａとし、この凹部３Ａを、ケース１に固定されるガイド壁１５の摺動面２２としている。スイッチツマミ３が往復運動されるとき、ケース１のガイド壁１５を、摺動面２２に沿って摺動させて、スイッチツマミ３を定位置で往復運動させる。
【００２５】
さらに、スイッチツマミ３は、凹部３Ａの摺動面２２を囲むように、コ字状の節度ループ１８を下端に一体成形している。節度ループ１８は、板状のスイッチツマミ３の両端に連結されている。節度ループ１８は、スイッチツマミ３を往復運動させるときに、ケース１の内面に沿って移動できるように、ケース１の内面に沿う形状、いいかえると、ケース１面内に沿う形状に成形されている。さらに、コ字状の節度ループ１８は、内側に突出して、その中央部分に節度凸部２を設けている。
【００２６】
スイッチツマミ３は、摺動接点５を固定するために、下端をＬ字状に折曲する形状として、摺動接点５を固定する固定面３Ｂを設けている。摺動接点５は、この固定面３Ｂの上面に固定される。摺動接点５は、上方に向かって傾斜する弾性片５Ａを両端部に有し、中間をスイッチツマミ３の固定面３Ｂに固定している。摺動接点５の弾性片５Ａは、弾性的に固定接点６に押圧されるように、弾性変形できる金属板である。
【００２７】
さらに、スイッチツマミ３は、固定面３Ｂの端縁に沿って上方に突出するように、プリント基板７のスリット１６に挿入されるガイド凸部１７を成形している。
【００２８】
ケース１は、スイッチツマミ３を決められた位置で往復運動させるために、ガイド壁１５を設け、このガイド壁１５の下端に、節度出しをするための節度凹凸１４を成形している。図に示すガイド壁１５は、下端の中央部に節度凹凸１４となるアーチ状の凸起を一体成形している。さらに、ケース１は、スイッチツマミ３の上端を外部に表出させるために開口窓２０を設けている。開口窓２０の両側には、図８に示すようにリブ２１を一体成形し、リブ２１でもって、往復運動するスイッチツマミ３が倒れるのを防止している。
【００２９】
さらにまた、スイッチツマミ３は、図８に示すように、ケース１内に配設されるトランス２３のコイル２４とケース１の間にできる隙間に節度ループ１８を配設している。この図に示すトランス２３は、ＥＩコアー２５の中心に固定しているボビンにコイル２４を巻いている。この構造のトランス２３は、ケース１に固定すると、コイル２４とケース１内面との間に隙間ができる。
【００３０】
【発明の効果】
本発明の電気かみそりは、モーターに接続されるリード線を、簡単かつ容易に、しかも確実に定位置に保持できる特長がある。それも、リード線を保持するために専用の部材を特別に設けることなく、確実に保持できる特長がある。それは、本発明の電気かみそりが、モーターをケース内の定位置に保持するためにケース内に設けている支持壁を、リード線の保持用に併用するからである。すなわち、支持壁とモーターとの間に挟着隙間を設け、この挟着隙間にリード線を挿入して、リード線を保持するからである。この構造の電気かみそりは、リード線で連結されたモーターとプリント基板等をケースの定位置に配設した後、リード線を挟着隙間に入れて、簡単にしかも確実に保持できる。
【００３１】
とくに、本発明の電気かみそりは、モーターと支持壁との間に挟着隙間を設け、ここにリード線を入れて保持するので、リード線がモーターと支持壁に挟まれて確実に保持されることに加えて、リード線でもってモーターと支持壁の隙間を少なくし、回転するモーターが振動して出す騒音を小さくできる特長も実現する。さらに、好都合なことに、リード線は、その表面を柔軟なプラスチック製の絶縁材で被覆したものが多いので、このリード線を挟着隙間に挿入すると、モーターと支持壁の隙間がなくなって、微振動と騒音を少なくできる特長がある。
【００３２】
さらに、本発明の請求項２に記載する電気かみそりは、挟着隙間を次第に狭くしているので、リード線を深く圧入して、より確実に保持して、しかも、モーターと支持壁の隙間を少なくすることができる。
【００３３】
また、本発明の請求項３の電気かみそりは、支持壁を、モーターケースの背面に沿う板状に成形された本体リブと、この本体リブに対して直交する方向の板状に成形された補強リブとで構成し、補強リブを本体リブから突出させて、モーターケースとの間に挟着隙間を設けている。この構造の支持壁は、挟着隙間にリード線を強く圧入しても変形しない特長がある。それは、補強リブがリード線に押されて変形するのを防止するからである。このため、挟着隙間に強くリード線を圧入して、確実に保持して、モーターが振動して発生する騒音を極限できる特長がある。
【００３４】
さらにまた、本発明の請求項４に記載する電気かみそりは、モーターを保持する支持壁の近くにスイッチツマミを設けているが、スイッチツマミを往復運動させても、モーターに接続しているリード線が断線され、あるいは、リード線でスイッチツマミの動きが制約されることがなく、スイッチツマミをスムーズに往復運動できる特長を実現する。それは、モーターのリード線を、支持壁でスイッチツマミに接触しないように保持しているからである。
【図面の簡単な説明】
【図１】従来の電気かみそりのを示す分解斜視図
【図２】本発明の実施例の電気かみそりを示す正面図
【図３】図２に示す電気かみそりの分解斜視図
【図４】図３に示す電気かみそりのモーター装着部を示す斜視図
【図５】図３に示す電気かみそりのモーター装着部を示す垂直断面図
【図６】図３に示す電気かみそりのモーター装着部を示す平面図
【図７】図２に示す電気かみそりのスイッチツマミ部分の分解斜視図
【図８】図２に示す電気かみそりのスイッチツマミ部分の横断面図
【符号の説明】
１…ケース
２…節度凸部
３…スイッチツマミ        ３Ａ…凹部            ３Ｂ…固定面
５…摺動接点              ５Ａ…弾性片
６…固定接点
７…プリント基板
９…外刃
１０…モーター            １０Ａ…ボス        １０Ｂ…接続端子
１１…支持壁              １１Ａ…本体リブ    １１Ｂ…補強リブ
１２…二次電池
１３…Ｕ溝
１４…節度凹凸
１５…ガイド壁
１６…スリット
１７…ガイド凸部
１８…節度ループ
１９…突起
２０…開口窓
２１…リブ
２２…摺動面
２３…トランス
２４…コイル
２５…ＥＩコアー
２６…リード線
２７…挟着隙間
２８…偏心カム
２９…コンロッド
３０…内刃台
３１…クッション材
【図１】
0003557064.tif 000002
【図２】
0003557064.tif 000003
【図３】
0003557064.tif 000004
【図４】
0003557064.tif 000005
【図５】
0003557064.tif 000006
【図６】
0003557064.tif 000007
【図７】
0003557064.tif 000008
【図８】
0003557064.tif 000009